(57)【要約】【課題】ホルミシス効果を得ることができ、且つ、安全に使用することができる樹脂製品の原材料として用いることができる低線量放射線物質を含む樹脂を提供することを課題とする。【解決手段】図１に示したように、低線量の放射線は人体の生理機能を刺激して人体に有益な効果を及ぼす、という研究結果が発表されている。このようなホルミシス効果を得ることができる低線量放射線発生物質を樹脂原料に混入して、バスタブ等の樹脂製品の原材料となる低線量放射線を発生する樹脂を作成する。【選択図】  図１
2006348192.tif 000002
【特許請求の範囲】
【請求項１】
樹脂原料に、低線量放射線が発生する放射性物質が混入された原材料によって構成され
ていることを特徴とする低線量放射線発生物質を含む樹脂。
【請求項２】
前記低線量放射線発生物質は、低線量放射線が発生する鉱物を微粉砕した微粉末物質で
あることを特徴とする請求項１に記載の低線量放射線発生物質を含む樹脂。
【請求項３】
前記低線量放射線発生物質は、低線量放射線が発生する鉱物を粉砕して得られる砂利状
になった小石であることを特徴とする請求項１に記載の低線量放射線発生物質を含む樹脂
。
【請求項４】
前記低線量放射線発生物質は、コンブであることを特徴とする請求項１に記載の低線量
放射線発生物質を含む樹脂。
【請求項５】
前記低線量放射線発生物質を含む樹脂は、その表面近傍での放射線の線量が１ｍＳｖ／
ｙ以下であることを特徴とする請求項１ないし請求項４のいずれかの項に記載の低線量放
射線発生物質を含む樹脂。
【発明の詳細な説明】
【技術分野】
【０００１】
本発明は、バスタブやマット等の樹脂製品を構成する低線量放射線発生物質を含む樹脂
に関するものである。
【背景技術】
【０００２】
一般に、放射線を人体に照射すると、人体内の細胞のＤＮＡが損傷されて「がん」が発
生し易くなると考えられている。従って、人体に照射される放射線の量は、低ければ低い
ほど良いと考えられており、ＷＨＯでもその許容量を１．８ｍＳｖ／ｙ以下と定めている
。
【０００３】
しかしながら、最近では、高線量の放射線は人体に有害であるが、低線量の放射線はむ
しろ人体に有益であるという研究結果が知られている（『原子力百科事典』参照。）
【０００４】
この低線量の放射線が人体に与える有益な効果は、ホルミシス効果と呼ばれている。ホ
ルミシス効果とは、低線量の放射線を人体に照射すると、人体の生理機能が刺激されて、
細胞増殖の促進，免疫能の亢進，成長促進，がん発生率の低下等の効果が得られるという
ものである。
【０００５】
このホルミシス効果と放射線の線量との関係を図１に示す。
【０００６】
図１の実線で示したように、１ｃＧｙ以下の線量においては、線量が増大すればするほ
ど人体の生理機能が刺激されてホルミシス効果が増大する。さらに放射線の線量を増やし
ていくと、ホルミシス効果は最大となった後に減少してゆき、放射線の線量がＡｃＧｙを
越えると、人体に対して障害を生じさせることになる。なお、図１において一点鎖線で示
した直線は、放射線はその線量が増せば増すほど人体に有害であるとする最近まで信じら
れてきた仮説に基づく関係を示したものである。因みに、経済産業省資源エネルギー庁が
編集した『原子力  ＮＵＣＬＥＲ  ＥＮＥＲＧＹ  ２００４』には、２００ｍＳｖ／ｙ以
下の線量では「臨床症状が確認されていません」と記載されてる。
【０００７】
このような最近のホルミシス効果に関する研究結果は、秋田県玉川温泉の「岩盤浴」の
ように低線量放射線が発生する岩盤内で温泉に入浴すると健康の増進に効果があるとされ
てきた民間の経験則とも一致している。
【０００８】
従って、低線量放射線が発生するバスタブがあれば、その使用者は、家庭において容易
にホルミシス効果の恩恵を得ることができる。しかしながら、このような低線量放射線が
発生するバスタブ等の製品は今のところ存在していない。
【発明の開示】
【発明が解決しようとする課題】
【０００９】
本発明は、ホルミシス効果を得ることができる低線量の放射線を発生する物質を含む樹
脂であって、家庭内において安全に使用することができるバスタブやマット等の樹脂製品
の原材料となる樹脂の提供を課題とする。
【課題を解決するための手段】
【００１０】
以上の問題を解決するために本発明に係る低線量放射線発生物質を含む樹脂は、樹脂原
料に、低線量放射線が発生する放射性物質が混入された原材料によって構成されているこ
とを特徴とするものである。
【００１１】
ここで、前記低線量放射線発生物質は、低線量放射線が発生する鉱物を微粉砕した微粉
末物質であってもよいし、低線量放射線が発生する鉱物を粉砕して得られる砂利状になっ
た小石であってもよい。さらに、前記低線量放射線発生物質は、コンブであってもよい。
【００１２】
また、以上記載した特徴を有する低線量放射線発生物質を含む樹脂は、その表面近傍で
の放射線の線量を１ｍＳｖ／ｙ以下としてもよい。
【発明の効果】
【００１３】
本発明によれば、ホルミシス効果を得ることができ、且つ、安全に使用することができ
る樹脂製品の原材料として用いることができる低線量放射線物質を含む樹脂を提供するこ
とができる。
【発明を実施するための最良の形態】
【００１４】
以下、本発明の実施例について説明する。
【実施例１】
【００１５】
本発明の実施例１は、樹脂原料としてアクリル樹脂を用い、低線量放射線発生物質とし
てモナズ石を用いたものである。
【００１６】
重量比として、樹脂原料であるアクリル樹脂４に対して、モナズ石２を混入した後、成
型して厚さ２ｍｍ，直径１．５ｍｍの円柱状の試料を作成した。ここで、モナズ石は微粉
砕して微粉末状になったものをアクリル樹脂に混入した。
【００１７】
このように低線量放射線発生物質であるモナズ石を、微粉砕して樹脂原料であるアクリ
ル樹脂に混入する理由は、先ず、第１に、作成された樹脂において、その放射線の発生密
度を均一にするためである。
【００１８】
さらに第２の理由として、低線量放射線発生物質の微粉末を樹脂で固定して、この微粉
末が空中に飛散することを防ぐためである。空中に飛散した低線量放射線発生物質の微粉
末を、人間が呼吸により体内に入れた場合には、この微粉末は、肺に入って長時間に亘っ
て肺に留まり肺がんの発生原因になってしまうため、本実施例１においては、低線量放射
線発生物質の微粉末を樹脂で固定して微粉末が空中に飛散しないように構成されている。
【００１９】
以上のようにして作成した４つの円柱状の試料の上方１ｃｍにおける放射線（γ線）の
線量を測定した結果、最大放射線量は、０．０６４μＳｖ／ｈ，０．０５８μＳｖ／ｈ，
０．０６３μＳｖ／ｈ，０．０６０μＳｖ／ｈであった。従って、平均最高値は、０．０
６１μＳｖ／ｈとなり、年間最大放射線量は、
５３４μＳｖ／ｈ＝０．５３４ｍＳｖ／ｙ
となる。
【００２０】
本実施例１では、原子炉等規制法および放射線障害防止法で定められている年間被爆許
容限度である１ｍＳｖ／ｙ以下の線量となるようにモナズ石の混合比率を定めている。こ
のように１ｍＳｖ／ｙ以下の線量にすることによって家庭内において安全に使用し得る樹
脂とすることができる。
【００２１】
以上説明した実施例１においては、モナズ石を微粉砕した微粉末を樹脂原料に混入した
が、このモナズ石を粉砕して得られる砂利状になった小石のモナズ石を樹脂原料に混入す
ることとしてもよい。
【００２２】
さらに、本発明で使用する低線量放射線発生物質は、モナズ石に限られるものではなく
、低線量放射線が発生するとされている麦飯石，北投石，花崗石等の鉱物であってもよい
し、コンブ等の植物であってもよい。
【００２３】
また、本発明で使用する樹脂原料は、アクリル樹脂に限定されるものではなく、熱可塑
性アクリル樹脂、塩化ビニール樹脂、ポリプロピレン樹脂、ポリカーボネイト樹脂、ＰＥ
Ｔ樹脂、フッソ樹脂、ウレタン樹脂、熱硬化性メラミン樹脂、フェノール樹脂等の合成樹
脂であってもよいし、ロジン、コーパル、ダンマル、カナダバルサム、セラック、ゴム、
ウルシ、松脂等の天然樹脂であってもよい。
【産業上の利用可能性】
【００２４】
本発明に係る低線量放射線発生物質を含む樹脂は、バスタブやマットの原材料のみでな
く、各種事務用品、健康器具（マッサージ機の合成皮革、コルセットの骨格やシート部分
）、自動車用品（腰当マット、シートカバー）、寝具（寝台、マットレス、枕）、装飾品
などの樹脂製品の原材料として使用することができる。
【図面の簡単な説明】
【００２５】
【図１】放射線量と人体に対する影響との関係を示すグラフである。
【図１】
2006348192.tif 000003